【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
筒型形状を有し、前記筒型形状の中心軸の方向と実質的に同一の方向に静磁場が印加され、外部からの給電信号を受信する１つの給電点と、前記筒型形状の内部で円偏波磁界を発生もしくは検出する手段を有する高周波コイル。
【請求項２】
前記静磁場の方向と実質的に垂直な少なくとも一つの断面に円周状の位置に配置される複数のキャパシタをさらに有し、
前記複数のキャパシタは、第１容量を有する複数の第１キャパシタと、前記静磁場の貫通する方向からみた前記断面において前記給電点から前記筒型形状の中心に対して時計方向に２２．５度以上６７．５度以下もしくは２０２．５度以上２４７．５度以下離れた位置に配置され、かつ前記第１容量より容量の小さい第２容量を有する少なくとも一つの第２キャパシタとを含む請求項１に記載の高周波コイル。
【請求項３】
前記複数のキャパシタは、第１容量を有する複数の第１キャパシタと、前記静磁場の貫通する方向からみた前記断面において前記給電点から前記筒型形状の中心に対して反時計方向に２２．５度以上６７．５度以下もしくは２０２．５度以上２４７．５度以下離れた位置に配置され、かつ前記第１容量より容量が大きい第３容量を有する少なくとも一つの第３キャパシタとを含む請求項１に記載の高周波コイル。
【請求項４】
前記静磁場の方向と実質的に垂直な少なくとも一つの断面に円周状の位置に配置される複数のキャパシタをさらに有し、
前記複数のキャパシタは、第１容量を有する複数の第１キャパシタと、前記静磁場の貫通する方向からみた前記断面において前記給電点から前記筒型形状の中心に対して時計方向に２２．５度以上６７．５度以下もしくは２０２．５度以上２４７．５度以下離れた位置に配置され、かつ前記第１容量より容量の小さい第２容量を有する第２キャパシタと、
前記静磁場の貫通する方向からみた前記断面において前記給電点から前記筒型形状の中心に対して反時計方向に２２．５度以上６７．５度以下もしくは２０２．５度以上２４７．５度以下離れた位置に配置され、かつ前記第１容量より容量が大きい第３容量を有する少なくとも一つの第３キャパシタとを含むことを特徴とする請求項１に記載の高周波コイル。
【請求項５】
前記静磁場の方向と実質的に垂直な少なくとも一つの断面に円周状の位置に配置され、
第１容量を有する複数の第１キャパシタと、
前記静磁場の貫通する方向からみた前記断面において前記給電点から前記筒型形状の中心に対して時計方向に２２．５度以上６７．５度以下もしくは２０２．５度以上２４７．５度以下離れた位置に配置され、かつ前記第１容量より容量の小さい第２容量を有する、インダクタとキャパシタとからなる並列回路とをさらに有することを特徴とする請求項２または請求項５に記載の高周波コイル。
【請求項６】
前記静磁場の方向と実質的に垂直な少なくとも一つの断面に円周状の位置に配置され、第１容量を有する複数の第１キャパシタと、
前記静磁場の貫通する方向からみた前記断面において前記給電点から前記筒型形状の中心に対して反時計方向に２２．５度以上６７．５度以下もしくは２０２．５度以上２４７．５度以下離れた位置に配置され、かつ前記第１容量より容量が大きい第３容量を有する、インダクタとキャパシタとからなる直列回路をさらに有することを特徴とする請求項４または請求項４に記載の高周波コイル。
【請求項７】
前記筒型形状は、ループ状の第１導体、ループ状の第２導体、及び前記第１導体と前記第２導体との各々に接続される複数の第３導体から構成されるものであり、前記複数のキャパシタは、前記第１導体について、前記第１導体と複数の前記第３導体とを接続する複数の第１接続点の各々の間に各々配置されることを特徴とする請求項１乃至６に記載の高周波コイル。
【請求項８】
前記筒型形状は、ループ状の第１導体、ループ状の第２導体、及び前記第１導体と前記第２導体との各々に接続される複数の第３導体から構成されるものであり、前記複数のキャパシタは、前記複数の第３導体について各々配置されることを特徴とする請求項１乃至６に記載の高周波コイル。
【請求項９】
前記筒型形状は、ループ状の第１導体、ループ状の第２導体、及び前記第１導体と前記第２導体との各々に接続される複数の第３導体から構成されるものであり、
前記第１導体について、前記第１導体と複数の前記第３導体とを接続する複数の第１接続点の各々の間に各々配置され、
前記複数のキャパシタは、前記複数の第３導体について各々配置されることを特徴とする請求項１乃至６に記載の高周波コイル。
【請求項１０】
前記筒型形状は、円筒状導体と、前記円筒状導体の内側で前記円筒状導体に沿って実質的に等間隔に配置され、前記円筒状導体の軸に実質的に平行であり、かつ端部で前記円筒状導体と電気的に接続される複数の直線状導体とから構成され、前記複数のキャパシタは、前記複数の直線状導体に各々配置されることを特徴とする請求項１乃至６に記載の高周波コイル。
【請求項１１】
筒型形状を有し、前記筒型形状の中心軸の方向と実質的に同一の方向に静磁場が印加される高周波コイルであって、前記静磁場の方向と実質的に垂直な少なくとも一つの断面に円周状に配置される、第１共振周波数及び第２共振周波数で共振するための複数の二重同調回路と、
第１共振周波数の信号を給電する第１給電点と、
第２共振周波数の信号を給電する第２給電点を有し、
前記第２給電点は、前記静磁場の貫通する方向からみた前記断面において前記第１給電点から前記筒型形状の中心に対して反時計方向に９０度離れた位置に配置され、
前記複数の二重同調回路は、前記第１共振周波数が前記第２共振周波数より高いときに、前記第１共振周波数における第１容量が前記第２共振周波数における第２容量より小さい値を示す複数の第１二重同調回路と、前記静磁場の貫通する方向からみた前記断面において前記第１給電点から前記筒型形状の中心に対して時計方向に２２．５度以上６７．５度以下もしくは２０２．５度以上２４７．５度以下離れた位置に配置され、かつ前記第１共振周波数において前記第１容量より小さい容量を示し、前記第２共振周波数において前記第２容量より大きい容量を示す第２二重同調回路とを含むことを特徴とする高周波コイル。
【請求項１２】
筒型形状を有し、前記筒型形状の中心軸の方向と実質的に同一の方向に静磁場が印加される高周波コイルであって、
前記静磁場の方向と実質的に垂直な少なくとも一つの断面に円周状に配置される、第１共振周波数及び第２共振周波数で共振するための複数の二重同調回路と、
第１共振周波数の信号を給電する第１給電点と、
第２共振周波数の信号を給電する第２給電点を有し、
前記第２給電点は、前記静磁場の貫通する方向からみた前記断面において前記第１給電点から前記筒型形状の中心に対して時計方向に９０度離れた位置に配置され、
前記複数の二重同調回路は、前記第１共振周波数が前記第２共振周波数より高いときに、前記第１共振周波数における第１容量が前記第２共振周波数における第２容量より小さい値を示す複数の第１二重同調回路と、前記静磁場の貫通する方向からみた前記断面において前記第１給電点から前記筒型形状の中心に対して時計方向に２２．５度以上６７．５度以下もしくは２０２．５度以上２４７．５度以下離れた位置に配置され、かつ前記第１共振周波数において前記第１容量より小さい容量を示し、前記第２共振周波数において前記第２容量より大きい容量を示す第２二重同調回路を含むことを特徴とする高周波コイル。
【請求項１３】
前記第１共振周波数及び前記第２共振周波数は、各々磁気共鳴周波数が異なる第１元素及び第２元素の各々に対応することを特徴とする請求項１１または請求項１２に記載の高周波コイル。
【請求項１４】
静磁場を形成する静磁場形成手段と、傾斜磁場を形成する傾斜磁場形成手段と、高周波磁場を形成する高周波磁場形成手段と、前記高周波磁場を検査対象に印加する送信用コイルと、検査対象からの磁気共鳴信号を検出する受信用コイルと、前記磁気共鳴信号を受信する受信手段と、前記傾斜磁場形成手段、前記高周波磁場形成手段および前記受信手段を制御する制御手段と、を備える磁気共鳴撮像装置であって、前記送信用コイルとして、請求項１乃至１１に記載の高周波コイルを用いたことを特徴とする磁気共鳴撮像装置。
【請求項１５】
静磁場を形成する静磁場形成手段と、傾斜磁場を形成する傾斜磁場形成手段と、高周波磁場を形成する高周波磁場形成手段と、前記高周波磁場を検査対象に印加する送信用コイルと、検査対象からの磁気共鳴信号を検出する受信用コイルと、前記磁気共鳴信号を受信する受信手段と、前記傾斜磁場形成手段、前記高周波磁場形成手段および前記受信手段を制御する制御手段と、を備える磁気共鳴撮像装置であって、前記受信用コイルとして、請求項１乃至１１に記載の高周波コイルを用いたことを特徴とする磁気共鳴撮像装置。
【請求項１６】
前記受信用コイルとして、請求項１ないし１１のいずれか１項に記載の高周波コイルを用いたことを特徴とする請求項１４に記載の磁気共鳴撮像装置。